(57)【要約】【課題】セルの膨張に伴うエンドプレートの移動を抑制できるバッテリモジュールを提供する。【解決手段】セル積層体２と、該セル積層体２の前面及び後面に配置される一対のエンドプレート３と、該一対のエンドプレート３を連結する締結フレーム４と、を備えるバッテリモジュール１であって、締結フレーム４は、セル積層体２の右面及び左面に配置される一対のサイドフレーム５を備え、一対のサイドフレーム５は、それぞれサイドフレーム本体５１と、サイドフレーム本体５１からセル積層体２の前面及び後面に回り込む前回込部５２Ｆ及び後回込部５２Ｒと、を有し、前回込部５２Ｆ及び後回込部５２Ｒの前後方向の幅Ｗ３、Ｗ４は、サイドフレーム本体５１の左右方向の幅Ｗ５よりも大きい。【選択図】図４
2019009085.tif 000002
【特許請求の範囲】
【請求項１】
前後方向に複数のセルを積層して構成され、前面、後面、左面、右面、上面、及び下面を有するセル積層体と、
該セル積層体の前記前面及び前記後面に配置される一対のエンドプレートと、
該一対のエンドプレートを連結する締結フレームと、を備えるバッテリモジュールであって、
前記締結フレームは、前記セル積層体の前記右面及び前記左面に配置される一対のサイドフレームを備え、
前記一対のサイドフレームは、それぞれサイドフレーム本体と、前記サイドフレーム本体から前記セル積層体の前記前面及び前記後面に回り込む前回込部及び後回込部と、を有し、
前記前回込部及び前記後回込部の前後方向の幅は、前記サイドフレーム本体の左右方向の幅よりも大きい、バッテリモジュール。
【請求項２】
請求項１に記載のバッテリモジュールであって、
前記前回込部及び前記後回込部は、それぞれ前記エンドプレートに固定される前固定部及び後固定部と、前記サイドフレーム本体と前記前固定部及び前記後固定部とを連結する前連結部及び後連結部と、を有し、
前記前連結部及び前記後連結部の前後方向の幅は、前記前固定部及び前記後固定部の前後方向の幅よりも大きい、バッテリモジュール。
【請求項３】
請求項１又は２に記載のバッテリモジュールであって、
前記一対のサイドフレームは、左右方向及び上下方向に延設された橋渡部により、前記サイドフレーム本体同士が連結されている、バッテリモジュール。
【請求項４】
請求項３に記載のバッテリモジュールであって、
前記一対のサイドフレームは、複数の前記橋渡部により連結されており、
隣り合う前記橋渡部の間隔は、前記セルの前後方向の幅よりも大きい、バッテリモジュール。
【請求項５】
請求項３又は４に記載のバッテリモジュールであって、
前記橋渡部の前後方向の幅は、前記前回込部及び前記後回込部の前後方向の幅よりも小さい、バッテリモジュール。
【請求項６】
請求項３〜５のいずれか１項に記載のバッテリモジュールであって、
前記橋渡部は、前記サイドフレーム本体と一体に形成されている、バッテリモジュール。
【請求項７】
請求項１〜６のいずれか１項に記載のバッテリモジュールであって、
前記セル積層体は、外部接続用端子を備え、
該外部接続用端子は、前記エンドプレートに固定される、バッテリモジュール。
【請求項８】
請求項１〜７のいずれか１項に記載のバッテリモジュールであって、
前記一対のサイドフレームには、隣接する前記セルの間を上下方向に延びる突起部が設けられている、バッテリモジュール。
【請求項９】
請求項２に記載のバッテリモジュールであって、
前記エンドプレートと前記前固定部及び前記後固定部とを締結する締結部材の端面は、前記前連結部及び前記後連結部の最外面よりも前後方向において前記セル積層体側に位置する、バッテリモジュール。
【請求項１０】
請求項９に記載のバッテリモジュールであって、
前記一対のエンドプレートは、それぞれ左右方向において中央エンドプレート部を挟んで左エンドプレート部及び右エンドプレート部を有し、
前記中央エンドプレート部の前記前後方向の幅は、前記左エンドプレート部及び前記右エンドプレート部の前記前後方向の幅よりも大きく、
前記前回込部及び前記後回込部の最外面は、前記中央エンドプレート部の最外面よりも前後方向において前記セル積層体側に位置する、バッテリモジュール。
【発明の詳細な説明】
【技術分野】
【０００１】
本発明は、電動車両などに搭載されるバッテリモジュールに関する。
【背景技術】
【０００２】
従来より電動車両などにはバッテリモジュールが搭載されている。例えば、特許文献１には、前後方向に複数のセルを積層して構成され、前面、後面、左面、右面、上面、及び下面を有するセル積層体と、該セル積層体の前面及び後面に配置される一対のエンドプレートと、該一対のエンドプレートを連結する締結フレームと、を備えるバッテリモジュールが開示されている。
【０００３】
この種のバッテリモジュールでは、温度変化や経年劣化によるセルの膨張に起因してバッテリモジュールのセル積層方向の荷重（以下、適宜セル厚拘束反力という。）が発生する。近年、セルの高容量化や高エネルギー密度化に伴い、セル内により多くの活物質を詰め込む方向にあるため、上記のセル厚拘束反力が増加傾向となっている。
【先行技術文献】
【特許文献】
【０００４】
【特許文献１】特許第５４０５１０２号公報
【発明の概要】
【発明が解決しようとする課題】
【０００５】
しかしながら、特許文献１に記載されるバッテリモジュールのように、セル積層体の右面及び左面に配置されるサイドフレーム（金属バンド）を備え、該サイドフレームが、それぞれサイドフレーム本体と、サイドフレーム本体からセル積層体（エンドプレート）の前面及び後面に回り込む前回込部及び後回込部と、を有するものである場合、セルの膨張に起因するセル積層方向の荷重が、サイドフレームの前回込部及び後回込部に集中的に作用するため、前回込部及び後回込部が開き方向に変形し、エンドプレートの移動やバッテリモジュールの寸法変動が発生する虞がある。
【０００６】
本発明は、前述した課題に鑑みてなされたものであり、その目的は、セルの膨張に伴うエンドプレートの移動を抑制できるバッテリモジュールを提供することにある。
【課題を解決するための手段】
【０００７】
上記目的を達成するために、請求項１に記載の発明は、
前後方向に複数のセル（例えば、後述の実施形態のセル２１）を積層して構成され、前面、後面、左面、右面、上面、及び下面を有するセル積層体（例えば、後述の実施形態のセル積層体２）と、
該セル積層体の前記前面及び前記後面に配置される一対のエンドプレート（例えば、後述の実施形態のエンドプレート３）と、
該一対のエンドプレートを連結する締結フレーム（例えば、後述の実施形態の締結フレーム４）と、を備えるバッテリモジュール（例えば、後述の実施形態のバッテリモジュール１）であって、
前記締結フレームは、前記セル積層体の前記右面及び前記左面に配置される一対のサイドフレーム（例えば、後述の実施形態のサイドフレーム５）を備え、
前記一対のサイドフレームは、それぞれサイドフレーム本体（例えば、後述の実施形態のサイドフレーム本体５１）と、前記サイドフレーム本体から前記セル積層体の前記前面及び前記後面に回り込む前回込部（例えば、後述の実施形態の前回込部５２Ｆ）及び後回込部（例えば、後述の実施形態の後回込部５２Ｒ）と、を有し、
前記前回込部及び前記後回込部の前後方向の幅（例えば、後述の実施形態の幅Ｗ３、Ｗ４）は、前記サイドフレーム本体の左右方向の幅（例えば、後述の実施形態の幅Ｗ５）よりも大きい。
【０００８】
請求項２に記載の発明は、
請求項１に記載のバッテリモジュールであって、
前記前回込部及び前記後回込部は、それぞれ前記エンドプレートに固定される前固定部（例えば、後述の実施形態の前固定部５３Ｆ）及び後固定部（例えば、後述の実施形態の後固定部５３Ｒ）と、前記サイドフレーム本体と前記前固定部及び前記後固定部とを連結する前連結部（例えば、後述の実施形態の前連結部５４Ｆ）及び後連結部（例えば、後述の実施形態の後連結部５４Ｒ）と、を有し、
前記前連結部及び前記後連結部の前後方向の幅（例えば、後述の実施形態の幅Ｗ３）は、前記前固定部及び前記後固定部の前後方向の幅（例えば、後述の実施形態の幅Ｗ４）よりも大きい。
【０００９】
請求項３に記載の発明は、
請求項１又は２に記載のバッテリモジュールであって、
前記一対のサイドフレームは、左右方向及び上下方向に延設された橋渡部（例えば、後述の実施形態の橋渡部５５）により、前記サイドフレーム本体同士が連結されている。
【００１０】
請求項４に記載の発明は、
請求項３に記載のバッテリモジュールであって、
前記一対のサイドフレームは、複数の前記橋渡部により連結されており、
隣り合う前記橋渡部の間隔（例えば、後述の実施形態の間隔Ｗ６）は、前記セルの前後方向の幅（例えば、後述の実施形態の幅Ｗ７）よりも大きい。
【００１１】
請求項５に記載の発明は、
請求項３又は４に記載のバッテリモジュールであって、
前記橋渡部の前後方向の幅（例えば、後述の実施形態の幅Ｗ８）は、前記前回込部及び前記後回込部の前後方向の幅（例えば、後述の実施形態の幅Ｗ３、Ｗ４）よりも小さい。
【００１２】
請求項６に記載の発明は、
請求項３〜５のいずれか１項に記載のバッテリモジュールであって、
前記橋渡部は、前記サイドフレーム本体と一体に形成されている。
【００１３】
請求項７に記載の発明は、
請求項１〜６のいずれか１項に記載のバッテリモジュールであって、
前記セル積層体は、外部接続用端子（例えば、後述の実施形態の外部接続用端子２３）を備え、
該外部接続用端子は、前記エンドプレートに固定される。
【００１４】
請求項８に記載の発明は、
請求項１〜７のいずれか１項に記載のバッテリモジュールであって、
前記一対のサイドフレームには、隣接する前記セルの間を上下方向に延びる突起部（例えば、後述の実施形態の突起部５１ａ）が設けられている。
【００１５】
請求項９に記載の発明は、
請求項２に記載のバッテリモジュールであって、
前記エンドプレートと前記前固定部及び前記後固定部とを締結する締結部材（例えば、後述の実施形態のボルトＢ１）の端面は、前記前連結部及び前記後連結部の最外面よりも前後方向において前記セル積層体側に位置する。
【００１６】
請求項１０に記載の発明は、
請求項９に記載のバッテリモジュールであって、
前記一対のエンドプレートは、それぞれ左右方向において中央エンドプレート部（例えば、後述の実施形態の中央エンドプレート部３１）を挟んで左エンドプレート部（例えば、後述の実施形態の左エンドプレート部３２Ｌ）及び右エンドプレート部（例えば、後述の実施形態の右エンドプレート部３２Ｒ）を有し、
前記中央エンドプレート部の前記前後方向の幅（例えば、後述の実施形態の幅Ｗ１）は、前記左エンドプレート部及び前記右エンドプレート部の前記前後方向の幅（例えば、後述の実施形態の幅Ｗ２）よりも大きく、
前記前回込部及び前記後回込部の最外面は、前記中央エンドプレート部の最外面よりも前後方向において前記セル積層体側に位置する。
【発明の効果】
【００１７】
請求項１の発明によれば、サイドフレーム本体からセル積層体の前面及び後面に回り込む前回込部及び後回込部の前後方向の幅、即ち前回込部及び後回込部の厚さが、サイドフレーム本体の左右方向の幅、即ちサイドフレーム本体の厚さよりも大きいので、セル積層体を押さえつける力を大きくできる。したがって、温度変化や経年劣化によるセルの膨張に起因してバッテリモジュールのセル積層方向の荷重が増加しても、エンドプレートの移動を抑制できる。
また、サイドフレーム本体の厚さを、前回込部及び後回込部の厚さよりも薄くすることで、バッテリモジュールを小型化、軽量化できる。
【００１８】
請求項２の発明によれば、サイドフレーム本体と前固定部とを連結する前連結部及びサイドフレーム本体と後固定部とを連結する後連結部の前後方向の幅は、前固定部及び後固定部の前後方向の幅よりも大きいので、最も応力が集中しやすい部分の剛性を大きくできる。
【００１９】
請求項３の発明によれば、一対のサイドフレームは、左右方向及び上下方向に延設された橋渡部により、サイドフレーム本体同士が連結されているので、サイドフレームの剛性が高められる。
【００２０】
請求項４の発明によれば、一対のサイドフレームは、複数の橋渡部により連結されており、隣り合う橋渡部の間隔は、セルの前後方向の幅よりも大きいので、サイドフレームにセル同士のセパレータ機能を付与し、部品点数を削減できる。
【００２１】
請求項５の発明によれば、橋渡部の前後方向の幅は、前回込部及び後回込部の前後方向の幅よりも小さいので、応力が集中しやすい部分の厚さと、それ以外の部分の厚さを最適化し、小型化、軽量化及びコスト削減が図れる。
【００２２】
請求項６の発明によれば、橋渡部は、サイドフレーム本体と一体に形成されているので、接合工数を削減できる。
【００２３】
請求項７の発明によれば、セル積層体の外部接続用端子は、移動が規制されているエンドプレートに固定されるので、外部接続用端子の移動も規制できる。
【００２４】
請求項８の発明によれば、一対のサイドフレームには、隣接するセルの間を上下方向に延びる突起部が設けられているので、セルの前後方向の振動を抑制できる。
【００２５】
請求項９の発明によれば、エンドプレートとサイドフレームの前固定部及び後固定部とを締結する締結部材の端面は、前連結部及び後連結部の最外面よりも前後方向においてセル積層体側に位置するので、締結部材の張り出しを回避するとともに、締結部材をサイドフレームの前連結部及び後連結部によって保護できる。
【００２６】
請求項１０の発明によれば、一対のエンドプレートは、それぞれ左右方向において中央エンドプレート部を挟んで左エンドプレート部及び右エンドプレート部を有し、中央エンドプレート部の前後方向の幅は、左エンドプレート部及び右エンドプレート部の前後方向の幅よりも大きいので、外部からの衝撃を中央エンドプレート部で吸収することができる。
また、前回込部及び後回込部の最外面は、中央エンドプレート部の最外面よりも前後方向においてセル積層体側に位置するので、前回込部及び後回込部の張り出しを回避するとともに、前回込部及び後回込部をエンドプレートの中央エンドプレート部によって保護できる。
【図面の簡単な説明】
【００２７】
【図１】本発明の第１実施形態に係るバッテリモジュールを斜め上方から見た斜視図である。
【図２】本発明の第１実施形態に係るバッテリモジュールを斜め上方から見た分解斜視図である。
【図３】本発明の第１実施形態に係るバッテリモジュールのエンドプレート及び締結フレームを示す斜視図である。
【図４】本発明の第１実施形態に係るバッテリモジュールの要部平面図である。
【図５】本発明の第２実施形態に係るバッテリモジュールのエンドプレート及び締結フレームを示す斜視図である。
【図６】本発明の第３実施形態に係るバッテリモジュールの要部平面図である。
【発明を実施するための形態】
【００２８】
以下、本発明のバッテリモジュールの各実施形態を、添付図面に基づいて説明する。なお、図面は符号の向きに見るものとする。
【００２９】
［第１実施形態］
図１〜図４に示すように、本発明の第１実施形態に係るバッテリモジュール１は、前後方向に複数のセル２１を積層して構成され、前面、後面、左面、右面、上面、及び下面を有するセル積層体２と、セル積層体２の前面及び後面に配置される一対のエンドプレート３と、一対のエンドプレート３を連結する締結フレーム４と、を備え、該締結フレーム４は、セル積層体２の左面及び右面に配置される一対のサイドフレーム５と、を備える。
【００３０】
なお、本明細書等では説明を簡単且つ明確にするためにセル２１の積層方向を前後方向と定義し、セル２１の積層方向に直交する方向を左右方向及び上下方向と定義したものであり、バッテリモジュール１が搭載される製品の前後方向等とは無関係である。即ち、バッテリモジュール１が車両に搭載される場合、セル２１の積層方向は、車両の前後方向に一致してもよく、車両の上下方向、左右方向であってもよく、これらの方向から傾斜した方向であってもよい。図面には、バッテリモジュール１の前方をＦｒ、後方をＲｒ、左側をＬ、右側をＲ、上方をＵ、下方をＤ、として示す。
【００３１】
（セル積層体）
セル積層体２は、複数のセル２１と複数の絶縁部材２２を前後方向に交互に積層して構成される。セル積層体２の前面及び後面には、絶縁部材２２を介した絶縁状態で一対のエンドプレート３が配置され、セル積層体２の左面及び右面には、それぞれ僅かな隙間を介した絶縁状態で一対のサイドフレーム５が配置される。
【００３２】
セル２１は、温度変化や経年劣化によって膨張することが知られている。セル２１は、前後方向の長さよりも上下方向の長さが長く、上下方向の長さよりも左右方向の長さが長い直方体形状を有する。そのため、セル２１は前面及び後面の面積が、左面、右面、上面及び下面の面積よりもはるかに大きく、セル２１の前面及び後面で、その左右方向中央部及び上下方向中央部が膨張しやすい。
【００３３】
セル積層体２の上面には、セル２１の端子２１ａに電気的に接続される複数のバスバー（図示せず）が配置される。バスバーには、セル２１の端子２１ａ同士を接続するためのものや、セル２１の端子２１ａを外部接続用端子２３に接続するためのものが含まれる。セル２１の端子２１ａと外部接続用端子２３との位置が相対的に変化すると、接続不良が生じる虞がある。従って、外部接続用端子２３は、セル２１の端子２１ａとの位置が相対的に変化しない位置に固定する必要がある。本実施形態では、外部接続用端子２３をエンドプレート３に固定するとともに、後述するサイドフレーム構造に基づいてエンドプレート３の移動を抑制している。
【００３４】
（エンドプレート）
一対のエンドプレート３は、それぞれ絶縁部材２２を介してセル積層体２の前面及び後面に当接し、セル積層体２のセル積層方向の荷重（以下、適宜セル厚拘束反力ともいう。）を受け止める。セル積層体２のセル積層方向の荷重は、主に温度変化や経年劣化によるセル２１の膨張に起因するものであり、上述したように、セル２１の前面及び後面では、その左右方向中央部及び上下方向中央部が膨張しやすいため、エンドプレート３の左右方向中央部及び上下方向中央部に大きな荷重が入力される。
【００３５】
エンドプレート３は、アルミ押出材を用いて形成されており、左右方向において中央領域に形成され、上下方向に延びる複数の中空部３１ａが設けられる中央エンドプレート部３１と、左右方向において中央エンドプレート部３１を挟むように形成される左エンドプレート部３２Ｌ及び右エンドプレート部３２Ｒと、を有する。上述したように、セル積層体２からセル積層方向の大きな荷重を受ける中央エンドプレート部３１は、その前後方向の幅Ｗ１が左エンドプレート部３２Ｌ及び右エンドプレート部３２Ｒの前後方向の幅Ｗ２よりも大きくなっている。従って、エンドプレート３は、セル積層体２と当接する内方の面が平坦であるのに対し、セル積層体２と当接しない外方の面は、中央エンドプレート部３１が外方に膨出した形状となっている。これにより、セル積層方向の外部からの衝撃を中空部３１ａを有する中央エンドプレート部３１で吸収することが可能になる。
【００３６】
（サイドフレーム）
一対のサイドフレーム５は、アルミ押出材を用いて形成されており、セル積層体２の左面又は右面に沿うサイドフレーム本体５１と、サイドフレーム本体５１の前端及び後端から前側のエンドプレート３の前面及び後側のエンドプレート３の後面に回り込む前回込部５２Ｆ及び後回込部５２Ｒと、を備える。また、前回込部５２Ｆ及び後回込部５２Ｒは、それぞれエンドプレート３に固定される前固定部５３Ｆ及び後固定部５３Ｒと、サイドフレーム本体５１と前固定部５３Ｆ及び後固定部５３Ｒとを連結する前連結部５４Ｆ及び後連結部５４Ｒと、を備える。
【００３７】
前固定部５３Ｆ及び後固定部５３Ｒには、エンドプレート３にボルトＢ１を介して締結される複数の締結部５３ａが設けられる。締結部５３ａは、ボルトＢ１が挿通される丸孔を有し、該丸孔に挿通したボルトＢ１をエンドプレート３にねじ込むことで、前回込部５２Ｆ及び後回込部５２Ｒがエンドプレート３に締結される。これにより、一対のエンドプレート３が一対のサイドフレーム５を介して連結される。
【００３８】
図４に示すように、前回込部５２Ｆ及び後回込部５２Ｒの前後方向の幅Ｗ３、Ｗ４、即ち前回込部５２Ｆ及び後回込部５２Ｒの厚さは、サイドフレーム本体５１の左右方向の幅Ｗ５、即ちサイドフレーム本体５１の厚さよりも大きい。これにより、前回込部５２Ｆ及び後回込部５２Ｒのセル積層体２を押さえつける力を大きくでき、温度変化や経年劣化によるセル２１の膨張に起因してバッテリモジュール１のセル積層方向の荷重が増加しても、エンドプレート３（外部接続用端子２３を含む。）の移動を抑制できる。
【００３９】
また、前回込部５２Ｆ及び後回込部５２Ｒにおいて、サイドフレーム本体５１と前固定部５３Ｆとを連結する前連結部５４Ｆ及びサイドフレーム本体５１と後固定部５３Ｒとを連結する後連結部５４Ｒの前後方向の幅Ｗ３は、前固定部５３Ｆ及び後固定部５３Ｒの前後方向の幅Ｗ４よりも大きい。これにより、前回込部５２Ｆ及び後回込部５２Ｒにおいて、最も応力が集中しやすい前連結部５４Ｆ及び後連結部５４Ｒの剛性を大きくできる。
【００４０】
また、幅Ｗ３、Ｗ４の設定により、エンドプレート３とサイドフレーム５の前固定部５３Ｆ及び後固定部５３Ｒとを締結するボルトＢ１の端面は、前連結部５４Ｆ及び後連結部５４Ｒの最外面よりも前後方向においてセル積層体２側に位置する。これにより、ボルトＢ１の張り出しを回避するとともに、セル積層方向の外部からの衝撃をボルトＢ１よりも先に前連結部５４Ｆ及び後連結部５４Ｒが受けることにより、ボルトＢ１を前連結部５４Ｆ及び後連結部５４Ｒで保護することができる。
【００４１】
また、前回込部５２Ｆ及び後回込部５２Ｒの最外面は、エンドプレート３の中央エンドプレート部３１の最外面よりも前後方向においてセル積層体２側に位置する。これにより、セル積層方向の外部からの衝撃を前回込部５２Ｆ及び後回込部５２Ｒよりも先にエンドプレート３の中央エンドプレート部３１が受けることにより、前回込部５２Ｆ及び後回込部５２Ｒをエンドプレート３の中央エンドプレート部３１で保護することができる。
【００４２】
一対のサイドフレーム５は、左右方向及び上下方向に延設された橋渡部５５により、サイドフレーム本体５１同士が連結されている。橋渡部５５は、前後方向に所定の間隔Ｗ６をあけて複数（例えば、５つ）設けられる。これにより、サイドフレーム５の剛性が高められる。
【００４３】
隣り合う橋渡部５５の間隔Ｗ６は、セル２１の前後方向の幅Ｗ７よりも大きい。例えば、本実施形態では、隣り合う橋渡部５５の間隔Ｗ６を幅Ｗ７の２倍よりも大きくし、隣り合う橋渡部５５の間に２つのセル２１を収容している。これにより、サイドフレーム５にセル２１同士のセパレータ機能を付与し、部品点数を削減できる。
【００４４】
橋渡部５５の前後方向の幅Ｗ８は、前回込部５２Ｆ及び後回込部５２Ｒの前後方向の幅Ｗ３、Ｗ４よりも小さい。これにより、応力が集中しやすい部分の厚さと、それ以外の部分の厚さを最適化し、小型化、軽量化及びコスト削減が図れる。
【００４５】
橋渡部５５は、アルミ押出成形においてサイドフレーム本体５１と一体に形成される。これにより、サイドフレーム本体５１を橋渡部５５との接合工程が不要となり、接合工数を削減できる。ただし、橋渡部５５は、サイドフレーム本体５１と一体に形成されるものに限定されず、サイドフレーム本体５１と別部材として形成された後、サイドフレーム本体５１に接合されるものであってもよい。
【００４６】
以上説明したように、本実施形態のバッテリモジュール１によれば、サイドフレーム本体５１からセル積層体２の前面及び後面に回り込む前回込部５２Ｆ及び後回込部５２Ｒの前後方向の幅Ｗ３、Ｗ４、即ち前回込部５２Ｆ及び後回込部５２Ｒの厚さが、サイドフレーム本体５１の左右方向の幅Ｗ５、即ちサイドフレーム本体５１の厚さよりも大きいので、セル積層体２を押さえつける力を大きくできる。したがって、温度変化や経年劣化によるセル２１の膨張に起因してバッテリモジュール１のセル積層方向の荷重が増加しても、エンドプレート３の移動を抑制できる。
【００４７】
また、サイドフレーム本体５１の厚さＷ５を、前回込部５２Ｆ及び後回込部５２Ｒの厚さＷ３、Ｗ４よりも薄くすることで、バッテリモジュール１を小型化、軽量化できる。
【００４８】
まら、サイドフレーム本体５１と前固定部５３Ｆとを連結する前連結部５４Ｆ及びサイドフレーム本体５１と後固定部５３Ｒとを連結する後連結部５４Ｒの前後方向の幅Ｗ３は、前固定部５３Ｆ及び後固定部５３Ｒの前後方向の幅Ｗ４よりも大きいので、最も応力が集中しやすい部分の剛性を大きくできる。
【００４９】
また、一対のサイドフレーム５は、左右方向及び上下方向に延設された橋渡部５５により、サイドフレーム本体５１同士が連結されているので、サイドフレーム５の剛性が高められる。
【００５０】
また、一対のサイドフレーム５は、複数の橋渡部５５により連結されており、隣り合う橋渡部５５の間隔Ｗ６は、セル２１の前後方向の幅Ｗ７よりも大きいので、サイドフレーム５にセル２１同士のセパレータ機能を付与し、部品点数を削減できる。
【００５１】
また、橋渡部５５の前後方向の幅Ｗ８は、前回込部５２Ｆ及び後回込部５２Ｒの前後方向の幅Ｗ３、Ｗ４よりも小さいので、応力が集中しやすい部分の厚さと、それ以外の部分の厚さを最適化し、小型化、軽量化及びコスト削減が図れる。
【００５２】
また、橋渡部５５は、サイドフレーム本体５１と一体に形成されているので、接合工数を削減できる。
【００５３】
また、セル積層体２の外部接続用端子２３は、移動が規制されているエンドプレート３に固定されるので、外部接続用端子２３の移動も規制できる。
【００５４】
また、エンドプレート３とサイドフレーム５の前固定部５３Ｆ及び後固定部５３Ｒとを締結するボルトＢ１の端面は、前連結部５４Ｆ及び後連結部５４Ｒの最外面よりも前後方向においてセル積層体２側に位置するので、ボルトＢ１の張り出しを回避するとともに、ボルトＢ１をサイドフレーム５の前連結部５４Ｆ及び後連結部５４Ｒによって保護できる。
【００５５】
また、一対のエンドプレート３は、それぞれ左右方向において中央エンドプレート部３１を挟んで左エンドプレート部３２Ｌ及び右エンドプレート部３２Ｒを有し、中央エンドプレート部３１には、上下方向に延びる中空部３１ａが設けられ、中央エンドプレート部３１の前後方向の幅Ｗ１は、左エンドプレート部３２Ｌ及び右エンドプレート部３２Ｒの前後方向の幅Ｗ２よりも大きいので、外部からの衝撃を中空部３１ａを有する中央エンドプレート部３１で吸収することができる。
【００５６】
また、前回込部５２Ｆ及び後回込部５２Ｒの最外面は、中央エンドプレート部３１の最外面よりも前後方向においてセル積層体２側に位置するので、前回込部５２Ｆ及び後回込部５２Ｒの張り出しを回避するとともに、前回込部５２Ｆ及び後回込部５２Ｒをエンドプレート３の中央エンドプレート部３１によって保護できる。
【００５７】
［第２実施形態］
つぎに、本発明の第２実施形態に係るバッテリモジュールについて、図５及び図６を参照して説明する。ただし、第１実施形態との相違点のみを説明し、第１実施形態と共通の構成については、第１実施形態と同じ符号を用いることにより、第１実施形態の説明を援用する。
【００５８】
図５に示すように、第２実施形態に係るバッテリモジュール１Ｂは、一対のサイドフレーム５Ｂのサイドフレーム本体５１Ｂ同士を連結する橋渡部が省略され、一対のサイドフレーム５Ｂが分離された別部材として形成される点が第１実施形態と相違している。
【００５９】
［第３実施形態］
図６に示すように、第３実施形態に係るバッテリモジュール１Ｃは、サイドフレーム５Ｃのサイドフレーム本体５１Ｃが、隣接するセル２１の間を上下方向に延びる複数の突起部５１ａを備える点が第１実施形態と相違している。例えば、突起部５１ａは、図６に示すように、隣接するセル２１の角部形状に沿う形状を有し、セル２１と前後方向において係合している。このような第３実施形態のバッテリモジュール１Ｃによれば、サイドフレーム５Ｃのサイドフレーム本体５１Ｃに設けられる複数の突起部５１ａにより、セル２１の前後方向の振動を抑制できる。
【００６０】
なお、本発明は、前述した実施形態に限定されるものではなく、適宜、変形、改良、等が可能である。
【符号の説明】
【００６１】
１、１Ｂ、１Ｃ  バッテリモジュール
２  セル積層体
２１  セル
２３  外部接続用端子
３  エンドプレート
３１  中央エンドプレート部
３２Ｌ  左エンドプレート部
３２Ｒ  右エンドプレート部
４  締結フレーム
５  サイドフレーム
５１、５１Ｂ、５１Ｃ  サイドフレーム本体
５１ａ  突起部
５２Ｆ  前回込部
５２Ｒ  後回込部
５３Ｆ  前固定部
５３Ｒ  後固定部
５４Ｆ  前連結部
５４Ｒ  後連結部
５５  橋渡部
Ｂ１  ボルト（締結部材）
【図１】
2019009085.tif 000003
【図２】
2019009085.tif 000004
【図３】
2019009085.tif 000005
【図４】
2019009085.tif 000006
【図５】
2019009085.tif 000007
【図６】
2019009085.tif 000008